(57)【要約】【課題】  従来よりも軽い力で抽斗を引き出すことが可能な収納キャビネットを提供する。【解決手段】  この収納キャビネットは、引き出し開始時に、使用者が抽斗を引き出そうとする力を増幅させてキャビネット本体に作用させるアシスト手段として、引き出し開始時に使用者が引くハンドル部と、抽斗を収納した状態でハンドル部を引くことによってキャビネット本体に力を掛けてキャビネット本体に対して抽斗を前進させる作用部と、を有するレバーを備え、そのレバーは、ハンドル部と作用部との間に抽斗の引き出し方向に直交する方向を中心としてレバーを回動可能に軸支する回転軸を有し、回転軸とハンドル部の距離よりも作用部と回転軸の距離を短くしてハンドル部を手前に引く力を増幅して作用部がキャビネット本体を押す力とし、引き出し開始時にハンドル部を引く力を増大して作用部がキャビネット本体を押して抽斗を前方に移動させる。【選択図】  図２
2013102846.tif 000002
【特許請求の範囲】
【請求項１】
前方に開口部を有するキャビネット本体と、
前記キャビネット本体に収納されて、前記開口部から前方に引き出し可能な抽斗と、
を備えた収納キャビネットにおいて、
前記抽斗は、
引き出し開始時に、使用者が前記抽斗を引き出そうとする力を増幅させて前記キャビネット本体に作用させるアシスト手段を備え、
前記アシスト手段は、
引き出し開始時に使用者が引くハンドル部と、前記抽斗を収納した状態で前記ハンドル部を引くことによって前記キャビネット本体に力を掛けてキャビネット本体に対して前記抽斗を前進させる作用部と、を有するレバーを備え、
前記レバーは、前記ハンドル部と作用部との間に、前記抽斗の引き出し方向に対して直交する方向を中心として前記レバーを回動可能に軸支する回転軸を有し、前記回転軸からハンドル部までの距離よりも前記作用部から回転軸までの距離を短く構成することによって前記ハンドル部を手前に引く力を増幅して前記作用部が前記キャビネット本体を押す力に変換させてなり、
前記抽斗の引き出し開始時に使用者が前記ハンドル部を手前に引くと、前記作用部が前記キャビネット本体を押して前記抽斗を前記キャビネット本体の前方に移動させることを特徴とする収納キャビネット。
【請求項２】
前記ハンドル部は、前記抽斗の取っ手と一体化されたことを特徴とする請求項１記載の収納キャビネット。
【請求項３】
前記抽斗の前板に、前記レバーを前記前板の背面側から前面側に通過させる通過部を設け、
前記回転軸及び作用部を前記前板の背面側に配置するとともに前記ハンドル部を前記前板の前面側に露出するように配置したことを特徴とする請求項１又は２に記載の収納キャビネット。
【請求項４】
前記ハンドル部は、
前記抽斗の前板と同じ左右幅を有し、前記前板の上面に沿って配置されたことを特徴とする請求項２又は３に記載の収納キャビネット。
【発明の詳細な説明】
【技術分野】
【０００１】
本発明は、抽斗を有する収納キャビネット、特に、システムキッチンのフロアキャビネットに使用するのに好適な収納キャビネットに関する。
【背景技術】
【０００２】
近年のシステムキッチンにおいては、抽斗の収納量を増大させつつ、少ない動作で収納物を取り出すことができるように工夫がなされている。その一例である、フロアキャビネットに使用される収納キャビネットは、前面に開口部を有するキャビネット本体に、抽斗と内抽斗とが設けられている。
抽斗および内抽斗は、キャビネット本体の側板に取り付けられたレールに支持されて出し入れ自在となっている。抽斗を支持するレールは、抽斗を戻すときに抽斗が閉まる直前に到達するとゆっくりと抽斗を閉める方向に付勢する力を加える回転ピストンあるいはダンパー流体を備えるソフトクローズ機能を設けたものが主流となっている（特許文献１）。
【先行技術文献】
【特許文献】
【０００３】
【特許文献１】特開２００１−２４５７３８号公報
【発明の概要】
【発明が解決しようとする課題】
【０００４】
ソフトクローズ機能を設けた従来の収納キャビネットでは、回転ピストンあるいはダンパー流体を備えるソフトクローズ機能に抗って抽斗を引き出す必要があった。そのため、特に高齢者にとっては、引き出すのを重く感じてしまうことから、使い難さを感じてしまい、改善が望まれていた。
そこで、本発明は、従来よりも軽い力で抽斗を引き出すことが可能な収納キャビネットを提供することを目的とする。
【課題を解決するための手段】
【０００５】
上記課題を解決するために、本発明は、前方に開口部を有するキャビネット本体と、前記キャビネット本体に収納されて、前記開口部から前方に引き出し可能な抽斗と、を備えた収納キャビネットにおいて、前記抽斗は、引き出し開始時に、使用者が前記抽斗を引き出そうとする力を増幅させて前記キャビネット本体に作用させるアシスト手段を備え、前記アシスト手段は、引き出し開始時に使用者が引くハンドル部と、前記抽斗を収納した状態で前記ハンドル部を引くことによって前記キャビネット本体に力を掛けてキャビネット本体に対して抽斗を前進させる作用部と、を有するレバーを備え、前記レバーは、前記ハンドル部と作用部との間に、前記抽斗の引き出し方向に対して直交する方向を中心として前記レバーを回動可能に軸支する回転軸を有し、前記回転軸からハンドル部までの距離よりも前記作用部から回転軸までの距離を短く構成することによって前記ハンドル部を手前に引く力を増幅して前記作用部が前記キャビネット本体を押す力に変換させてなり、前記抽斗の引き出し開始時に使用者が前記ハンドル部を手前に引くと、前記作用部が前記キャビネット本体を押して前記抽斗を前記キャビネット本体の前方に移動させることを特徴とする。
【０００６】
これによれば、ハンドル部を引いて抽斗を引き出すと、回転軸を中心として、レバーが回り、作用部がキャビネット本体を押し込む。このレバーは、ハンドル部と回転軸との距離よりも、作用部と回転軸との距離を長くしているので、ハンドル部を引く力が増幅されて作用部に伝わる。よって、ハンドル部を引く力よりも大きな力で作用部がキャビネット本体を押して、抽斗を引き出すのを補助する。
したがって、てこの原理で引き出しを引き出すことができるので、重く感じる引き出しを軽い力で引き出すことができる。
【０００７】
また、請求項２では、前記ハンドル部は、前記抽斗の取っ手と一体化された。
【０００８】
これによれば、ハンドル部と取っ手の両方が、抽斗の前面に露出することがないので、引き出しの途中でハンドル部と取っ手を持ち替える必要がなく、操作性が向上する。またスッキリした外観が得られる。
【０００９】
また、請求項３では、前記抽斗の前板に、前記レバーを前記前板の背面側から前面側に通過させる通過部を設け、前記回転軸及び作用部を前記前板の背面側に配置するとともに前記ハンドル部を前記前板の前面側に露出するように配置した。
【００１０】
これによれば、レバーの全体が前板の前面部に露出することはなく、ハンドル部だけが前板の前面部に露出するので、外観が向上する。
【００１１】
また、請求項４では、前記ハンドル部は、前記抽斗の前板と同じ左右幅を有し、前記前板の上面に沿って配置された。
【００１２】
これにより、てこの力点となるハンドル部が横長になるので、収納キャビネットの間口方向のどちらにいてもハンドル部を引いて軽い力で抽斗を引き出せるので、操作性が良好になる。
【発明の効果】
【００１３】
本発明によれば、従来よりも軽い力で抽斗を引き出すことが可能な収納キャビネットを提供することが可能となる。
【図面の簡単な説明】
【００１４】
【図１】本発明の収納キャビネットを用いたシステムキッチンを示す斜視図である。
【図２】本発明の第一の実施形態にかかる収納キャビネットを示す斜視図である。
【図３】図２の収納キャビネットの抽斗を引き出す状態を示す図で、（ａ）は斜視図、（ｂ）は断面図である。
【図４】図２の収納キャビネットのアシスト手段を示す拡大側面図である。
【図５】本発明の第二の実施形態にかかる収納キャビネットを示す斜視図である。
【図６】図５の収納キャビネットの抽斗を引き出す状態を示す図で、（ａ）は斜視図、（ｂ）は断面図である。
【図７】図５の収納キャビネットのアシスト手段を示す拡大側面図である。
【図８】本発明の第三の実施形態にかかる収納キャビネットを示す斜視図である。
【図９】図８の収納キャビネットの抽斗を引き出す状態を示す図で、（ａ）は斜視図、（ｂ）は断面図である。
【図１０】図８の収納キャビネットのアシスト手段を示す拡大側面図である。
【発明を実施するための形態】
【００１５】
以下、図に基づいて本発明の実施の形態について説明する。
図１は、本発明の収納キャビネットを用いたシステムキッチンを示す斜視図である。
図１に示すように、システムキッチン１００は、フロアキャビネット列１１０と、シンク１２１とコンロ１２２を有してフロアキャビネット列１１０の上に固定されるカウンター１２０とを備えている。
フロアキャビネット列１１０の一部、例えば、シンクキャビネットとして、本発明の収納キャビネット３００が組み込まれている。
【００１６】
次に、収納キャビネット３００に関して、本発明の第一の実施形態を説明する。
図２は第一の実施形態にかかる収納キャビネットを示す斜視図、図３は図２の収納キャビネットの抽斗を引き出す状態を示す斜視図、図４は図２の収納キャビネットのアシスト手段を拡大して示す斜視図である。なお、図２では、収納キャビネットの正面から向かって左側の側板３１１を省いている。
【００１７】
図２に示すように、収納キャビネット３００は、２枚の側板３１１，３１１と背板３１２と底板３１３と前横桟３１４とを接合して前方に開口部３１５を設けたキャビネット本体３１０と、キャビネット本体３１０に収納されて開口部３１５から前方に引き出し可能な抽斗３２０と、を備えている。抽斗３２０には、引き出し開始時に使用者が抽斗３２０を操作する力を増幅させて、キャビネット本体３１０に作用させるアシスト手段Ａを備えている。
【００１８】
このアシスト手段Ａは、レバー４００を備えている。レバー４００は、その一端に、抽斗３２０の引き出し開始時に使用者が引くハンドル部４１０を有している。このハンドル部４１０は、抽斗３２０の取っ手と一体となっており、抽斗３２０の前板３２２の上面に沿って前板３２２と同じ左右幅をもって配設されている。またレバー４００には、抽斗３２０の引き出し方向に直交する方向、本実施形態においてはキャビネット本体３１０の間口方向を軸とする回転軸４２０を有している。この回転軸４２０は、前板３２２に対してレバー４００を回動可能に軸支している。この回転軸４２０を挟んでハンドル部４１０とは反対方向のレバー４００の他端に、キャビネット本体３１０に力を掛けてキャビネット本体３１０に対して抽斗３２０を前進させる作用部４３０がある。また、ハンドル部４１０と回転軸４２０の間のレバー４００には、ハンドル部４１０を引いたときに前板３２２から離れて前方に移動するレバー４００が前板３２２にぶつかるのを避けるための迂回部４４０が設けられている。なお、本実施形態においては、レバー４００は、抽斗３２０の前板３２２の左右にそれぞれ設置されている。
【００１９】
レバー４００は、回転軸４２０からハンドル部４１０までの直線距離よりも、回転軸４２０から作用部４３０までの直線距離を短くしている。これにより、使用者がハンドル部４１０を引く力は、てこの原理によって、回転軸４２０を中心として回動するレバー４００の他端に設けられた作用部４３０に増幅して伝わる。すなわち、作用部４３０がキャビネット本体３１０を押す力が増大して、抽斗を引き出すのを補助する。そのため、使用者は軽い力で抽斗３２０を引き出すことが可能になる。
【００２０】
この際、抽斗３２０を引くときに動くのは抽斗３２０の前板３２２よりも小さく、軽量なレバー４００だけなので、大掛かりな装置を必要とせず、より軽い力で抽斗３２０を引き出すことが可能になる。
【００２１】
なお、このアシスト手段Ａがハンドル部４１０を引く力を増幅するのは、レバー４００が回り始めてから迂回部４４０が前板３２２の裏面に当接するまでの間である。この間に、レールのソフトクローズ機能が働いて引き出しが重く感じる領域から外れる位置まで抽斗３２０を引き出すので、抽斗３２０を軽い力で引き出すことができる。
【００２２】
なお、本実施形態においては、キャビネット本体３１０に付設した受け具３１７にレバー４００の作用部４３０が力を掛けているが、キャビネット本体３１０に直接力を掛けてもよい。
【００２３】
抽斗３２０を引く際には、図３に示すように、使用者は取っ手（ハンドル部４１０）を手前に引いて引き出し始めると、レバー４００が回転軸４２０を中心に回り、作用部４３０がキャビネット本体３１０、詳しくは受け具３１７に力を掛ける。この状態でハンドル部４１０から手を放すとハンドル部４１０が元の位置に戻るようバネ（図示せず）が設けられている。また図４のように、レバー４００の間口方向のぐらつきを防止するため、前板３２２の裏側であって回転軸４２０の上方位置にレバー４００の回動動作をガイドするぐらつき防止具３２４を備えている。
【００２４】
また、本実施形態においては、抽斗３２０には専用の取っ手は設けていない。取っ手とハンドル部４１０を一体にすることで、取っ手とハンドル部４１０の両方が同時に抽斗３２０の前面に露出することがないので、引き出しの途中でハンドル部４１０と取っ手を持ち替える必要がなく、操作性が向上する。またスッキリした外観が得られる。
【００２５】
また、本実施形態においては、ハンドル部４１０は、抽斗３２０の前板３２２と同じ左右幅を有し、前板３２２の上面に沿って配置されているので、てこの力点となるハンドル部４１０が抽斗３２０の横幅いっぱいに配設される。そのため、使用者が収納キャビネット３００の間口方向の左右どちらにいても、立ち位置を変えることなく、また、無理な姿勢をとることなく、ハンドル部４１０を引いて軽い力で抽斗３２０を引き出せる。
【００２６】
さらに、レバー４００を前板３２２の左右両方に設置して、ハンドル部４１０で２つのレバー４００を接続することにより、使用者がハンドル部４１０のどの位置を引いても、レバー４００が捩じれることなく確実にレバー４００の操作部４３０でキャビネット本体３１０を押すことができるので、操作性が良好になる。
【００２７】
次に、収納キャビネット３００の第二の実施形態について説明する。なお、前述した実施形態と同じ構成については同じ符号を付し、説明を省略する。
図５は第二の実施形態にかかる収納キャビネットを示す斜視図、図６は図５の収納キャビネットの抽斗を引き出す状態を示す斜視図、図７は図５の収納キャビネットのアシスト手段を拡大して示す斜視図である。なお、図５では、収納キャビネットの正面から向かって左側の側板３１１を省いている。
【００２８】
図５に示すように、キャビネット本体３１０に収納される抽斗３２０には、引き出し開始時に使用者が抽斗３２０を操作する力を増幅させて、キャビネット本体３１０に作用させるアシスト手段Ｂを備えている。このアシスト手段Ｂは、抽斗３２０の引き出し開始時に使用者が引くハンドル部５１０、キャビネット本体３１０の間口方向を軸とした回転軸５２０、この回転軸５２０を挟んでハンドル部５１０とは反対方向にキャビネット本体３１０に力を掛けてキャビネット本体３１０に対して抽斗３２０を前進させる作用部５３０を有し、ハンドル部５１０を手前に引く力を増幅して作用部５３０を後方に押し出す力を生むレバー５００を備えている。
【００２９】
本実施形態では、抽斗３２０の前板３２２には、レバー５００が前板３２２の背面側から前面側に通過できる通過部（貫通孔）３２３があり、回転軸５２０はこの前板３２２の背面側でレバー５００を回転可能に軸支している。また、作用部５３０も、この前板３２２の背面側に設置されている。一方でハンドル部５１０はこの前板３２２の前面側に露出されるように配設されている。
【００３０】
抽斗３２０を引く際には、図６に示すように、使用者はハンドル部５１０を手前に引きながら引き出し始めると、ハンドル部５１０が回転軸５２０を中心に回り、作用部５３０がキャビネット本体３１０の前端面、詳しくは、キャビネット本体３１０に付設した受け具３１７の前端面に力を掛ける。この際、この回転軸５２０からハンドル部５１０までの距離よりも回転軸５２０から作用部５３０までの距離を短くすることで、てこの原理によりハンドル部５１０にかかる力を増幅して作用部５３０に伝えることができ、使用者は軽い力で抽斗３２０を引き出すことが可能になる。
【００３１】
この際、抽斗３２０を引くときに動くのは抽斗３２０の前板３２２よりも小さく、軽量なレバー５００だけなので、大掛かりな装置を必要とせず、より軽い力で抽斗３２０を引き出すことが可能になる。
【００３２】
なお、このアシスト手段Ｂがハンドル部５１０を引く力を増幅するのは、レバー５００が回り始めてからレバー５００の変形部分が通過部３２３に衝突してレバー５００の回動が制限されるまでの間である。この間に、レールのソフトクローズ機能が働いて引き出しが重く感じる領域から外れる位置まで抽斗３２０を引き出すので、抽斗３２０を軽い力で引き出すことができる。
【００３３】
また、本実施形態によれば、ハンドル部５１０だけが前板３２２の前面部に露出するので、外観が向上する。
【００３４】
なお、本実施形態においても、キャビネット本体３１０に付設した受け具３１７にレバー５００の作用部５３０が力を掛けているが、キャビネット本体３１０に直接力を掛けてもよい。
【００３５】
次に、収納キャビネット３００の第三の実施形態について説明する。なお、前述した実施形態と同じ構成については同じ符号を付し、説明を省略する。
図８は第一の実施形態にかかる収納キャビネットを示す斜視図、図９は図８の収納キャビネットの抽斗を引き出す状態を示す斜視図、図１０は図８の収納キャビネットのアシスト手段を拡大して示す斜視図である。なお、図８では、収納キャビネットの正面から向かって左側の側板３１１を省いている。
【００３６】
図８に示すように、キャビネット本体３１０に収納される抽斗３２０には、引き出し開始時に使用者が抽斗３２０を操作する力を増幅させて、キャビネット本体３１０に作用させるアシスト手段Ｃを備えている。このアシスト手段Ｃは、抽斗３２０の引き出し開始時に使用者が引くハンドル部６１０、キャビネット本体３１０の間口方向を軸とした回転軸６２０、この回転軸６２０を挟んでハンドル部６１０とは反対側の位置に、キャビネット本体３１０に力を掛けてキャビネット本体３１０に対して抽斗３２０を前進させる作用部６３０を有し、ハンドル部６１０を手前に引く力を増幅して作用部６３０を後方に押し出す力を生むレバー６００を備えている。また、本実施形態においては、作用部６３０は、キャビネット本体３１０の前端面を直接力を掛けるので、レバー６００を格納するため、キャビネット本体３１０の側板３１１に切欠き３１８を設けている。さらに、レバー６００は、回転軸６２０を中心とした円弧状の長孔６４０に、前板３２２に設けられたピン３２６を差し込んで、回動範囲を制限している。
【００３７】
抽斗３２０を引く際には、図９に示すように、使用者はハンドル部６１０を手前に引きながら引き出し始めると、ハンドル部６１０が回転軸６２０を中心に回り、作用部６３０でキャビネット本体３１０の前端面に力を掛ける。この際、この回転軸６２０からハンドル部６１０までの距離よりも回転軸６２０から作用部６３０までの距離を短くすることで、てこの原理によりハンドル部６１０にかかる力を増幅して作用部６３０に伝えることができ、使用者は軽い力で抽斗３２０を引き出すことが可能になる。
【００３８】
この際、抽斗３２０を引くときに動くのは抽斗３２０の前板３２２よりも小さく、軽量なレバー６００だけなので、大掛かりな装置を必要とせず、より軽い力で抽斗３２０を引き出すことが可能になる。
【００３９】
なお、このアシスト手段Ｃがハンドル部６１０を引く力を増幅するのは、レバー６００が回り始めてからレバー６００の回動範囲の制限位置に到達するまでの間である。この間に、レールのソフトクローズ機能が働いて引き出しが重く感じる領域から外れる位置まで抽斗３２０を引き出すので、抽斗３２０を軽い力で引き出すことができる。
【００４０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００４１】
例えば、回転軸３２０，４２０，５２０は、鉛直方向を中心軸としてレバーを３００，４００，５００を回すようにしてもよい。その場合、作用部３３０，４３０，５３０は、キャビネット本体３１０の底板３１３あるいは前横桟３１４に力を掛けるようにするのが好ましい。また、ハンドル部４１０，５１０，６１０とは別に前板３２２に取っ手を設けることも可能である。
【符号の説明】
【００４２】
３００：収納キャビネット
３１０：キャビネット本体
３１５：開口部
３２０：抽斗
３２２：前板
３２３：通過部
４００：レバー
４１０：ハンドル部
４２０：回転軸
４３０：作用部
５００：レバー
５１０：ハンドル部
５２０：回転軸
５３０：作用部
６００：レバー
６１０：ハンドル部
６２０：回転軸
６３０：作用部
Ａ：アシスト手段
Ｂ：アシスト手段
Ｃ：アシスト手段
【図１】
2013102846.tif 000003
【図２】
2013102846.tif 000004
【図３】
2013102846.tif 000005
【図４】
2013102846.tif 000006
【図５】
2013102846.tif 000007
【図６】
2013102846.tif 000008
【図７】
2013102846.tif 000009
【図８】
2013102846.tif 000010
【図９】
2013102846.tif 000011
【図１０】
2013102846.tif 000012